(57)【特許請求の範囲】
【請求項１】
番組情報を基にコンピュータで番組を制作し該制作した番組の映像と前記番組情報を表示装置に表示する番組編集装置において、前記制作した番組の内容を説明するホームページを作成する際に、番組紹介をする番組のスクリプトファイルを選択して前記表示装置に前記番組情報を表示し、前記表示装置に表示された前記番組情報から視聴者に紹介したい番組を選択すると、該視聴者に紹介したい番組情報のコマンドを読み込み、該コマンドから、前記選択された番組紹介用の静止画像若しくはムービーが記述してあるコマンドであるかを調べ、
静止画像若しくはムービーが記述してあるコマンドの場合は、そのコマンドのパラメータから前記静止画像若しくはムービーのファイル名を取得し、該取得した前記静止画像ファイル名若しくはムービーファイル名から、前記ホームページで前記静止画像若しくはムービーを表示するスクリプトを作成することによって、前記ホームページで表示する言語を作成することを特徴とする番組紹介ホームページの自動生成方法。
【請求項２】
請求項１記載の番組紹介ホームページの自動生成方法において、前記視聴者に紹介したい番組情報のコマンドを読み込み、前記コマンドから、更に、前記選択された番組紹介用のセリフ若しくはスーパーで記述している文字が記述してあるコマンドであるかを調べ、
セリフ若しくはスーパーで記述している文字が記述してあるコマンドの場合は、そのコマンドのパラメータからセリフ若しくはスーパーの文字を取得し、該取得したセリフ若しくはスーパーの文字から、前記ホームページで前記セリフの言葉の文字列若しくはスーパーの文字列で表示するスクリプトを作成することによって、前記ホームページで表示する言語を作成することを特徴とする番組紹介ホームページの自動生成方法。
【発明の詳細な説明】
【０００１】
【発明の属する利用分野】
本発明は、テレビジョン放送番組制作やビデオ番組制作、番組シミュレータ、プレゼンテーション、デモンストレーションなどに用いられる番組編集装置、特にコンピュータを利用して番組を生成させるために、番組情報を記述し、記述した内容を再生実行する装置において、制作した番組を紹介するための方法に関するものである。
【０００２】
【従来の技術】
近年、ＣＧ（Computer  Graphics：コンピュータグラフィックス）アニメーション技術と音声合成技術、動画像再生技術等を融合し、ＣＧアニメーション、動画像データ、静止画像データ、文字データ、オーディオデータ、音声合成データ等を用いて、コンピュータを使って映像データを制作する映像データ編集システムが開発されてきている。
【０００３】
また更に、シナリオを書く要領で、上記データを使用する順番に記述すると、この記述をコンピュータが解釈して、番組を自動生成する映像データ編集方法が考えられてきている。この映像データ編集方法では、編集状態をＧＵＩ（Graphical User Interface）で表示し操作ができ、このＧＵＩ操作によって、映像データの編集を行うものである。
【０００４】
従来の映像データ編集方法で使用している番組編集装置の画面を図４によって説明する。
【０００５】
図４は、番組編集装置の主操作画面（モニタ画面）の例を示す。
画面４００を構成する各画面の説明をする。
【０００６】
番組情報表示ウインドウ４０１は、番組情報をテキスト表示するウインドウで、普通のテキストエディタとしても使えるものであり、図７の入力装置７１１から直接、情報を打ちこむことができる。
【０００７】
番組情報表示ウインドウ４０１が保持しているポインタの位置に、ポインタ位置を表す図形であるカレット４０２が表示されている。よって、図７の入力装置７１１から入力された文字列は、カレット４０２の位置に入力される。
【０００８】
番組情報表示ウインドウ４０１に記述されている番組情報は、図７のＣＧアニメーション生成部７０３、音声合成部７０４、動画像生成部７０９で番組が生成され、プレビューウインドウ４０３で見ることができる。
【０００９】
仕込みウインドウ４０４は、番組情報の編集ができるウインドウであり、仕込みウインドウ４０４は、書き出す情報の種類（コマンド）によって異なる。このウインドウ４０４を閉じると、情報表示ウインドウ４０１のカレット４０２のある位置に、番組情報４０６が書き出される。また、情報表示ウインドウ４０１の、番組情報１行４０６をユーザが図７の入力装置７１１の一例のマウスでダブルクリックすると、再び仕込みウインドウ４０４が表示され、番組情報の修正が可能となる。
【００１０】
図７の入力装置７１１の一例のマウスでダブルクリックされた時の処理手順を、図５に示すフローチャート図を用いて説明する。ステップ５０１において、番組情報４０６の１行がマウスでダブルクリックされると、ステップ５０２において、１行の記述を解析する。ステップ５０３において、記述が情報として認識できるものであれば、ステップ５０４に進み、複数の仕込みウインドウの中から、選択した情報を書き出すための仕込みウインドウ４０４を決定する。
【００１１】
なお、ステップ５０３において、記述が情報として認識できない場合は、処理を抜ける。
【００１２】
次に、ステップ５０５において、選択されることにより指定されている情報値（パラメータ値）のＫ番目の該Ｋを、１にセットする。
【００１３】
ステップ５０６において、Ｋ番目のパラメータ値を読み込む。ステップ５０７において、読み込んだパラメータ値をＧＵＩの部品に反映させる。ステップ５０８において、ＫをＫ＋１にする。
【００１４】
そしてステップ５０９において、全てのパラメータを読み込んだかチェックして、読み込んだ場合、ステップ５１０において仕込みウインドウ４０４を表示する。表示された仕込みウインドウ４０４で、ユーザは選択した行（行に記述されている情報）を修正することができる。
【００１５】
なお、ステップ５０９において、全てのパラメータを読み込んでなければ、ステップ５０５に戻る。
【００１６】
例えば、仕込みウインドウ４０４は、BOBというキャラクタが話しをする情報を書き出すための仕込みウインドウとする。このとき、キャラクタの名前欄４０８でBOBを選択し、話す言葉を設定する欄４１０で「Hello everybody」とキー入力をする。この設定を行い、仕込みウィンドウ４０４を閉じると、仕込みウインドウ４０４のＧＵＩでユーザが設定した値や文字列に基づいて、以下の
character:talk（name=BOB,text=” Hello everybody”）
という情報が作成され、番組情報の行４０６に書き出される。
【００１７】
ユーザが番組情報の行４０６をダブルクリックすると、行の内容が解析されて、character:talkで始まっていることより、対応する仕込みウインドウは、キャラクタの話をする情報を書き出す仕込みウインドウ４０４であると決定される。そして、括弧内で囲まれた部分のパラメータ値をすべて読みこみ、仕込みウィンドウ４０４のＧＵＩに値を反映させる。例えば、２つめのパラメータtext=” Hello everybody”が読み込まれて、話す言葉を設定する欄４１０には” Hello everybody”が表示される。
【００１８】
仕込みウインドウ４０４が再び表示されれば、ユーザは、話をする言葉を入力しなおすことができる。話をする言葉を設定する欄４１０の値を” Hello!!”と設定してウインドウ４０４を閉じると、行４０６は、
character:talk（name=BOB,text=” Hello!!”）
に上書きされ、話す言葉を示す情報のtextの値が変る。
【００１９】
また、ユーザが行４０６で直接、情報表示ウインドウ上で話をするの言葉を示す情報を、text=”Hi!”に書き換え、
character:talk（name=BOB,text=” Hi!”）
とし、行４０６をダブルクリックすると、括弧内で囲まれた部分のパラメータが読み込まれたときに、２つ目のパラメータは、text= ” Hi!”なので、話をする言葉を設定する欄４１０の値は” Hi!”と設定される。このように、ユーザは、仕込みウインドウ４０４から情報を書き出す方法と、情報表示ウインドウ４０１で直接書く方法の両方を任意に使うことができる。
【００２０】
例えば最初に、仕込みウインドウ４０４を利用して、BOBが話をするという番組情報４０６を、情報表示ウインドウ４０１に作成する。続いて、MARYが話をするという番組情報を作成する場合、BOBが話をするという番組情報を作成したときと同じ手順を実行してもよいが、より簡単に行える方法がある。情報表示ウインドウ４０１で、番組情報４０６を選択し、コピーをして、番組情報４０６の下に貼り付ける。すると、情報４０６と同じ情報が、番組情報４０６'が挿入される。図７の入力装置７１１を利用して、番組情報４０６'の「BOB」という記述だけを、「MARY」に書きかえることにより実現できる。
【００２１】
次に、従来の情報作成の支援をするソフトウエアについて説明する。インターネットのＷｅｂで公開されているホームページは、ＨＴＭＬ言語(Hyper Text Markup Language)で記述されている。このＨＴＭＬ記述を支援するソフトウエアとして、IBM社のホームページビルダーや、Microsoft社のFront Pageなどがある。これらのソフトウエアでは、ウインドウズなどのＯＳがインストールされた、パーソナルコンピュータで動作する。レイアウト表示ウインドウで、ホームページのレイアウトを見ながら、ホームページを構成する部品などを配置する。配置した部品の属性は、属性指定ウインドウで指定する。ソフトウエアの働きにより、部品の配置位置、属性は、ＨＴＭＬ文に変換される。ＨＴＭＬ文は、ＨＴＭＬソースウインドウで見ることができ、直接編集することができる。
【００２２】
また、このホームページは、Netscape Communications社のNetscape Navigatorや、Microsoft社のInternet Explorerなどで見ることができる。
【００２３】
ＨＴＭＬで記述されたホームページで番組紹介をした例を、図６に示す。
【００２４】
番組を代表する静止画像６０１は、番組の内容を最も表しているシーンの画像を表示して、番組のイメージをユーザに分かりやすく伝えるものである。この静止画像は、作成された番組を再生して、番組紹介のホームページに使用するシーンの時、静止画像ファイルとして取得しておく。取得された静止画像ファイルは、ホームページを作成するとき、ホームページを作成するＨＴＭＬ言語で
<IMG SRC="静止画像ファイル名">
と記述すると、指定した静止画像ファイル名の静止画像がホームページに表示される。
【００２５】
番組内容を表す内容データ６０２は、番組の内容を説明している文章である。この文章は、作成された番組を再生して、番組内容を理解し、番組を紹介するのに適当な文章を考え記述している。文章は、ホームページを作成するとき、ホームページを作成するＨＴＭＬ言語で
<BODY>
番組内容を説明する文章
</BODY>
と記述すると、記述した文字がホームページに表示される。
【００２６】
【発明が解決しようとする課題】
インターネットのｗｅｂで公開されているホームページの情報は、ＨＴＭＬ言語で記述されている。記述内容は、番組を紹介するホームページの場合、制作した番組のある１画像を静止画像として、パソコンに取り込み、その静止画像をＨＴＭＬ言語により貼り付けるといったスクリプトを記述する。また、その制作した番組を紹介する文章も、番組を一度再生して、スーパー、静止画像、セリフといったものからキーワードとなる言葉を取り出して、ＨＴＭＬ言語で文章を書くスクリプトを記述する。
【００２７】
このように、番組を紹介するホームページを作成する場合、制作した番組をユーザが一度見て、番組紹介に適した画像や言葉を抽出し、その抽出したものをホームページに載せるためのＨＴＭＬ言語で記述したスクリプトを作成していく。そのため、番組紹介のホームページを作成するには、番組内容を確認し、ホームページの作成と手間がかかることになる。
【００２８】
本発明の目的は、簡単にホームページが作成可能な番組紹介ホームページの自動生成方法を提供することにある。
【００２９】
【課題を解決するための手段】
本発明は、番組情報を基にコンピュータで番組を制作し該製作した番組の映像と前記番組情報を表示装置に表示する番組編集装置において、前記製作した番組の内容を説明するホームページを作成する際に、前記表示装置に表示された前記番組情報から視聴者に紹介したい番組を選択すると、該視聴者に紹介したい番組の情報から前記ホームページで表示する言語を作成することを特徴とする番組紹介ホームページの自動生成方法である。
【００３０】
本発明は、番組情報を基にコンピュータで番組を制作し該製作した番組の映像と前記番組情報を表示装置に表示する番組編集装置において、前記製作した番組の内容を説明するホームページを作成する際に、前記表示装置に表示された前記番組情報から視聴者に紹介したい番組を選択すると、該視聴者に紹介したい番組情報のコマンドを読み込み、該コマンドから前記ホームページで表示する言語を作成することを特徴とする番組紹介ホームページの自動生成方法である。
【００３１】
本発明は、番組情報を基にコンピュータで番組を制作し該製作した番組の映像と前記番組情報を表示装置に表示する番組編集装置において、前記製作した番組の内容を説明するホームページを作成する際に、番組紹介をする番組のスクリプトファイルを選択して前記表示装置に前記番組情報を表示し、前記表示装置に表示された前記番組情報から視聴者に紹介したい番組を選択すると、該視聴者に紹介したい番組情報のコマンドを読み込み、該コマンドから前記ホームページで表示する言語を作成することを特徴とする番組紹介ホームページの自動生成方法である。
【００３２】
本発明において、前記コマンドは画像を記述のコマンドであり、そのコマンドを取得し、該コマンドから前記ホームページで表示する言語を作成することを特徴とする番組紹介ホームページの自動生成方法である。
【００３３】
本発明において、前記コマンドは前記番組で使用する語句であり、そのコマンドを取得し、該コマンドから前記ホームページで表示する言語を作成することを特徴とする番組紹介ホームページの自動生成方法である。
【００３４】
本発明において、前記コマンドは画像および前記番組で使用する語句であり、そのコマンドを取得し、該コマンドから前記ホームページで表示する言語を作成することを特徴とする番組紹介ホームページの自動生成方法である。
【００３５】
本発明において、前記コマンドは静止画像を記述のコマンドであり、そのコマンドを取得し、該コマンドから前記ホームページで表示する言語を作成することを特徴とする番組紹介ホームページの自動生成方法である。
【００３６】
本発明において、前記コマンドは前記番組で使用するセリフであり、そのコマンドを取得し、該コマンドから前記ホームページで表示する言語を作成することを特徴とする番組紹介ホームページの自動生成方法である。
【００３７】
本発明において、前記コマンドは静止画像および前記番組で使用するセリフであり、そのコマンドを取得し、該コマンドから前記ホームページで表示する言語を作成することを特徴とする番組紹介ホームページの自動生成方法である。
【００３８】
本発明において、前記コマンドはムービーを記述のコマンドであり、そのコマンドを取得し、該コマンドから前記ホームページで表示する言語を作成することを特徴とする番組紹介ホームページの自動生成方法である。
【００３９】
本発明において、前記コマンドはスーパーを記述のコマンドであり、そのコマンドを取得し、該コマンドから前記ホームページで表示する言語を作成することを特徴とする番組紹介ホームページの自動生成方法である。
【００４０】
【発明の実施の形態】
本発明の番組紹介ホームページの自動生成方法を実現する番組編集装置を、図７によって説明する。
図７は番組編集装置の実施の形態を示すブロック構成図で、７０１はＣＰＵ（Central Processing Unit）、７０２はメモリ、７０３はＣＧアニメーション生成部、７０４は音声合成部、７０５はシーケンサ部、７０６はイベント記憶部、７０７は編集画面生成部、７０８は記録装置、７０９は動画像生成部、７１０はモニタ、７１１はマウスのようなポインティングデバイス，キーボード，専用操作パネル等の入力装置、７１２はバスである。
【００４１】
ＣＰＵ７０１は、バス７１２を介して、メモリ７０２，ＣＧアニメーション生成部７０３，音声合成部７０４，シーケンサ部７０５，イベント記憶部７０６，編集画面生成部７０７，記録装置７０８，動画像生成部７０９，モニタ７１０，入力装置７１１と接続されている。
【００４２】
図７において、ＣＧアニメーション生成部７０３は、登場させるＣＧキャラクタやＣＧスタジオセットのＣＧアニメーション生成を行う。
【００４３】
音声合成部７０４は、登場キャラクタの喋り声（セリフ，鳴声，擬音やスタジオの効果音等）を生成する。また音声合成部７０４は、国や民族で使用言語が複数に渡る場合に、それに対応して複数台存在する場合がある。
【００４４】
動画像生成部７０９は、予め編集済みの動画像を表示し、メモ７０２は、テレビ番組のシナリオに相当するＣＧキャラクタの喋りや動作及び動画像再生，オーディオ再生等のイベントを記憶する。
【００４５】
シーケンサ部７０５はメモリ７０２に記憶されたテレビ番組のイベント情報を基に、ＣＧアニメーション生成部７０３，音声合成部７０４，及び動画像生成部７０９を制御して、テレビ番組を順次生成する。
【００４６】
モニタ７１０は、生成されたテレビ番組や番組の編集情報を表示する。また編集画面生成部７０７は、テレビ番組制作を行うためのイベント編集画面等の編集ウィンドウやモニタウィンドウをモニタ７１０に表示し、メモリ７０２に記憶されている番組の編集情報を操作する。
【００４７】
イベント記憶部７０６は、編集画面生成部７０９によるイベント編集画面等の編集ウィンドウで制作されたテレビ番組のコマンドや、メモリ７０２に記憶されており編集画面生成部７０７によるイベント編集画面等の編集ウィンドウに表示されたテレビ番組のコマンドを時系列順に記録する。
【００４８】
入力装置７１１は、モニタ７１０への表示の指示，及びシーケンサ部７０５への再生の指示，及びメモリ７０２に記憶されているテレビ番組のイベント情報の編集を指示するためのもので、主としてＧＵＩ操作を行うためのマウス等のポインティングデバイス及びキーボードとからなっている。
【００４９】
記録装置７０８は、登場させるＣＧキャラクタのモデリングデータ、ＣＧスタジオデータ、及び動画像の映像情報及びオーディオデータ（音楽，背景音，その他の音声データ）等のデータを記録し、かつ編集データの記録を行う。また、記録装置７０８は、ランダムアクセス可能な、例えばハードディスクや、光ディスクや光磁気ディスクなどの他に、伝送ネットワークを介したリモートファイルであってもよい。
【００５０】
バス７１２は、これらの各構成要素を接続する。また、バス７１２を介して、他の装置への接続も可能である。ＣＰＵ７０１は、バス７１２を介して接続されている他の構成要素と信号を送受し合い、各構成要素はＣＰＵ７０１からのアクセス信号により制御される。
【００５１】
上記番組編集装置を用い、番組内のイベントをシナリオに沿って時系列に並べ、番組を作成する。
【００５２】
以下に説明する本発明の番組を紹介するホームページ自動生成方法は、本番組編集装置により作成された番組紹介ホームページ自動生成方法である。
【００５３】
次に、本発明の番組紹介ホームページ自動生成方法の第１の実施の形態を、図１を用いて、説明する。
【００５４】
ここでは、番組が、ＴＶＭＬ(TV  Program Making Language)言語で書かれているスクリプトにより作成されたという例で説明する。
先ず、紹介する番組の制作が完了していることが前提である。
【００５５】
図１は、番組を紹介するホームページを自動生成するときの処理手順を示すフローチャート図である。
【００５６】
図４の番組編集装置画面のメニュー４５０にあるファイルの中の番組紹介項目を選択することにより、番組紹介ＨＴＭＬの生成が開始する（ステップ１０１）。
【００５７】
次に、番組紹介をする番組のスクリプトファイルを選択する。具体的には、番組編集装置画面のメニュー４５０にあるファイルを開く項目を選択することで動作する（ステップ１０２）。
【００５８】
スクリプトファイルは、従来技術で説明した，ＣＧキャラクタのセリフや動作，カメラワーク，タイトルやムービーといったコマンドが実行順に記述されたスクリプトである。
【００５９】
視聴者に紹介したい番組のスクリプトファイルを選択すると、番組編集装置はスクリプトファイルから最初のコマンドを読み込む（ステップ１０３）。
【００６０】
ここではスクリプトファイルから直接コマンドを1つ読み込むように記述しているが、視聴者がスクリプトファイルを選択した時点で、１度スクリプトファイルに記述してあるコマンドをメモリ７０２に読み込ませ、メモリ７０２上に記述されたコマンドを読み込むステップとしても同じことである。
【００６１】
読み込まれたコマンドは、次に、そのコマンドが番組紹介用の静止画像を表示するコマンドであるか調べる（ステップ１０４）。
【００６２】
ＴＶＭＬの場合、静止画像を表示するコマンドとは、
Title:display（type=imgfile, filename=”Program.gif”）のスクリプトにおける，Title:displayの文字列であり、この文字列から静止画像を表示するコマンドと、シーケンサ部７０５が判別する。
【００６３】
静止画像が記述してあるコマンドの場合、そのコマンドのパラメータから、静止画像のファイル名を選択して取得する（ステップ１０５）。
【００６４】
上記スクリプトの場合、静止画像が記述してあるパラメータは、引数２つめのfilename=”Program.gif”の中から、静止画像ファイル名のProgram.gifを抽出する。
【００６５】
次に、抽出した静止画像ファイル名から、ホームページで静止画像を表示するスクリプトを作成する（ステップ１０６）。
【００６６】
ＨＴＭＬ言語では
<IMG SRC=”Program.gif”>
と記述される。
【００６７】
ステップ１０４において、静止画像を表示するコマンドではない場合は、次にセリフが記述してあるコマンドか調べる（ステップ１０７）。
【００６８】
ＴＶＭＬの場合、セリフのコマンドとは、
Character:talk（name=BOB, text=”TVMLとは。”）のスクリプトにおける，Character:talkの文字列であり、この文字列からセリフのコマンドと、シーケンサ部７０５が判別する。
【００６９】
セリフが記述してあるコマンドの場合、そのコマンドのパラメータから、セリフの言葉を選択して取得する（ステップ１０８）。
【００７０】
上記スクリプトの場合、セリフの言葉が記述してあるパラメータは、引数２つめのtext=”TVMLとは。”の中から、セリフの言葉”TVMLとは。”を抽出する。
【００７１】
次に、抽出したセリフの言葉から、ホームページで番組内容として文字列で表示するスクリプトを作成する（ステップ１０９）。
【００７２】
ＨＴＭＬ言語では
<BODY>
”TVMLとは。”
</BODY>
と記述され、記述された文字が、ホームページに表示される。
【００７３】
次に、読み込まれたコマンドが、セリフのコマンドでもない場合、そのコマンドが終了コマンドか調べる（ステップ１１０）。
【００７４】
終了コマンドの場合は、番組紹介のＨＴＭＬ生成を終了する。終了コマンドではない場合、スクリプトから次の１コマンドを読み込むステップ１０３に戻る。
【００７５】
この番組を紹介するホームページ自動生成方法によって作成されたホームページのイメージを図３に示す。制作した番組から取得した静止画像３０１と文章３０２がホームページ上から下に時系列に表示した例である。ホームページの静止画像と文章の表示位置は、予め表示位置を指定したＨＴＭＬスクリプトを作成するなどして、自由に設定できるようにすることができる。
【００７６】
このように番組を紹介するホームページで使う静止画像や内容を紹介する文章を番組作成するためのスクリプトから自動的に選択して取得することにより、番組を紹介するホームページを自動で生成することができ、番組内容を確認してホームページに載せる絵や文字を考える必要とホームページを作成する作業を省くことができる。
【００７７】
例えば、ニュース番組を紹介する、ホームページを作成すると、各ニュース項目のタイトルの静止画像と、原稿を読み上げる文章が、ホームページに表示されることから、番組で伝えるニュース項目が一目で分かることになる。
【００７８】
上記例では、ホームページに表示する項目を番組で使用した静止画像とセリフの文章としたが、別項目にすることもできる。
【００７９】
例えば、番組のイメージを掴むための静止画像を表示していた代わりに、ムービーファイルを表示する。番組内容を記述した文章をセリフから取得したが、スーパーで記述している文字から取得することも可能である。
【００８０】
図２に、本発明の番組紹介ホームページ自動生成方法の第２の実施の形態で、ムービーやスーパーから番組を紹介するホームページを自動生成するときの処理手順を示すフローチャート図を示す。
【００８１】
スクリプトから１コマンド読み込むステップ２０１，２０２，２０３は、図１のステップ１０１，１０２，１０３と同じステップを踏む。
【００８２】
次に、読み込まれたコマンドが番組紹介用のムービーを表示するコマンドであるか調べる（ステップ２０４）。
【００８３】
ＴＶＭＬの場合、ムービーを表示するコマンドは、
Movie:playfile（type=imgfile, filename=”Program.mjpg”）のスクリプトにおける，Movie:playfileの文字列であり、この文字列からムービーを表示するコマンドと、シーケンサ部７０５が判別する。
【００８４】
ムービーが記述してあるコマンドの場合、そのコマンドのパラメータから、ムービーのファイル名を取得する（ステップ２０５）。
【００８５】
上記スクリプトの場合、ムービーが記述してあるパラメータは、引数２つめのfilename=”Program.mjpg”の中から、ムービーファイル名のProgram.mjegを抽出する。
【００８６】
次に、抽出したムービーファイル名から、ホームページでムービーを表示するスクリプトを作成する（ステップ２０６）。
【００８７】
ＨＴＭＬ言語では
<IMG SRC=”Program.mjpg”>
と記述される。
【００８８】
ステップ２０４において、ムービーが記述してあるコマンドではない場合は、次にスーパーが記述してあるコマンドか調べる(ステップ２０７)。
【００８９】
ＴＶＭＬの場合、スーパーのコマンドとは、
Super:on（type=text, text=”VMLとは。”）のスクリプトにおける，Super:onの文字列であり、この文字列からスーパーのコマンドと、シーケンサ部７０５が判別する。
【００９０】
スーパーが記述してあるコマンドの場合、そのコマンドのパラメータから、スーパーの文字を選択して取得する（ステップ２０８）。
【００９１】
上記スクリプトの場合、スーパーの言葉が記述してあるパラメータは、引数２つめのtext=”TVMLとは。”の中から、スーパーの文字列”TVMLとは。”を抽出する。
【００９２】
次に、抽出したスーパーの文字から、ホームページで番組内容として文字列で表示するスクリプトを作成する（ステップ２０９）。
【００９３】
ＨＴＭＬ言語では
<BODY>
”TVMLとは。”
</BODY>
と記述され、記述された文字が、ホームページに表示される。
【００９４】
次に、読み込まれたコマンドが、スーパーのコマンドでもない場合、そのコマンドが終了コマンドか調べる（ステップ２１０）。
【００９５】
終了コマンドの場合は、番組紹介のＨＴＭＬ生成を終了する。終了コマンドではない場合、スクリプトから次の１コマンドを読み込むステップ２０３に戻る。
【００９６】
【発明の効果】
本発明によれば、簡単にホームページが作成可能な番組紹介ホームページの自動生成方法を得ることができる。
【図面の簡単な説明】
【図１】本発明の番組紹介ホームページ自動生成方法の第１の実施の形態の処理手順を示すフローチャート図である。
【図２】本発明の番組紹介ホームページ自動生成方法の第２の実施の形態で、ムービーやスーパーから番組を紹介するホームページを自動生成するときの処理手順を示すフローチャート図である。
【図３】番組を紹介するホームページの画面の例を示す図である。
【図４】従来の番組編集装置の主操作画面（モニタ画面）の例を示す図である。
【図５】図４で番組情報をユーザがマウスでダブルクリックした時の処理手順を示すフローチャート図である。
【図６】従来の番組を紹介するホームページの画面の例を示す図である。
【図７】本発明の番組紹介ホームページの自動生成方法を実現する番組編集装置の実施の形態を示すブロック構成図である。
【符号の説明】
４００：番組編集装置の主操作画面（モニタ画面）、４０１：番組情報表示ウインドウ、４０２：カレット、４０３：プレビューウインドウ、４０４：仕込みウインドウ、４０６：番組情報、４０８：キャラクタ名前欄、４１０：話す言葉を設定する欄、６０１：番組を代表する静止画像、６０２：番組内容を表す内容データ、７０１：ＣＰＵ（Central Processing Unit）、７０２：メモリ、７０３：ＣＧアニメーション生成部、７０４：音声合成部、７０５：シーケンサ部、７０６：イベント記憶部、７０７：編集画面生成部、７０８：記録装置、７０９：動画像生成部、７１０：モニタ、７１１：入力装置、７１２：バス。
【図１】
0004084065.tif 000002
【図２】
0004084065.tif 000003
【図３】
0004084065.tif 000004
【図４】
0004084065.tif 000005
【図５】
0004084065.tif 000006
【図６】
0004084065.tif 000007
【図７】
0004084065.tif 000008